(57)【要約】【課題】半環状の多数対の綴じ環を有する一対の可動基板を弾性さやで拘束したルーズリーフ綴具は使用中に可動基板が弾性さやに対して大きくずれることがある。本発明はこの問題を解決することを課題とする。【解決手段】一端側の前記操作つまみ（９、１０）の一部を前記基板（１、２）の一端の底面よりも下方に延長させて邪魔板（１５）として構成し、前記さや（５）の一端部を上方に曲げて突起部（８）を形成し、前記突起部（８）の高さを綴じ環の開放状態では前記邪魔板に干渉できないが、閉鎖状態では干渉できるように定めた、ルーズリーフ綴具。【選択図】図６
2015016560.tif 000002
【特許請求の範囲】
【請求項１】
相互に衝合できる半環状の綴じ環（３、４）を複数対起立した一対の可動基板（１、２）をそれらの内縁に沿って衝接させ、かつこれらの可動基板（１、２）の外縁に沿って設けた溝（１４、１６）に弾性金属さや（５）の両縁部（６、７）を挿入して拘束し、前記両可動基板（１、２）の長手方向両端部にそれぞれ他側の可動基板側に向けて交差する一対の操作つまみ（９、１０）を設け、該操作つまみを互いに方向に押すことにより前記基板（１、２）を前記綴じ環（３、４）が閉鎖した状態から上動させることにより前記両半環状の綴じ環（３、４）の先端を開放させるようにしたルーズリーフ綴具において、
一端側の前記操作つまみ（９、１０）の一部を前記基板（１、２）の一端の底面よりも下方に延長させて邪魔板（１５）として構成し、前記さや（５）の一端部を上方に曲げて突起部（８）を形成し、前記突起部（８）の高さを綴じ環の開放状態では前記邪魔板に干渉できないが、閉鎖状態では干渉できるように定めた、ルーズリーフ綴具。
【請求項２】
前記突起部（８）は前記さや（５）端から遠ざかる傾斜部（８’）を有する、請求項１に記載のルーズリーフ綴具。
【請求項３】
前記両可動基板の他端では前記溝（１４、１６）の端部を閉鎖して前記さや（５）に対するストッパ（１７）とした請求項１又は２に記載のルーズリーフ綴具。
【請求項４】
更に、他端側の第２の前記操作つまみ（９、１０）の一部を前記基板（１、２）の他端の底面よりも下方に延長させて第２の邪魔板（１５）として構成し、前記さや（５）の他端部を上方に曲げて第２の突起部（８）を形成し、前記第２の突起部（８）の高さを綴じ環の開放状態では前記邪魔板に干渉できないが、閉鎖状態では干渉できるように定めた、請求項１又は２に記載のルーズリーフ綴具。
【発明の詳細な説明】
【技術分野】
【０００１】
［産業上の利用分野］
本発明はルーズリーフ綴じ具に関し、更に詳しくは、相互に衝合できる半環状の綴じ環を複数対起立した一対の可動基板をそれらの内縁に沿って衝接させ、かつこれらの可動基板の外縁を弾性金属さやにより拘束し、前記両可動基板の長手方向両端部にそれぞれ他側の可動基板側に向けて交差する一対の操作つまみを設け、該操作つまみを指により互いに方向に押すことにより前記基板を前記綴じ環が閉鎖した状態から弾発的に上動させることにより前記両半環状の綴じ環の先端を開放させるようにした構造のルーズリーフ綴じ具の改良に関する。
【背景技術】
【０００２】
プラスチックの射出成形により製造した各種のルーズリーフ綴じ具は広く普及しているが、中でも、特開２０００−１５９７８号に記載されているように（本願添付図１〜２参照）、複数の半環状の綴じ環３、４をそれぞれ一体に起立した合成樹脂製の一対の細長い可動基板１、２を内縁で衝接させかつ外縁を弾性金属さや５により拘束し、可動基板１、２にそれぞれ一体に形成されたつまみ９、１０を操作することにより可動基板１、２を弾発的に上動させて綴じ環の開放を行うようにしたルーズリーフ綴具は繁用されている。この方式の綴具は綴じ環の開閉が容易である利点を有するが、輸送中、使用者による使用時、あるいは書棚への出し入れの際に、綴じ環が開放しないようにさや５の弾性が強力に設定してある。なお綴じ環の閉鎖は指で半環状の両綴じ環を互いの方向に押して行う。
【先行技術文献】
【特許文献】
【０００３】
【特許文献１】特開２０００−１５９７８号報
【発明の概要】
【発明が解決しようとする課題】
【０００４】
ルーズリーフを綴じ込んだ綴じ具を保管する場合には、綴具の長手方向が垂直方向になるように保管されるのが通例である。しかし、図１〜２に示した綴じ具を本棚に繰り返して出し入れするとか、頻繁に綴じ環を開放するなどして繰り返し衝撃が加わると、長期に使用するうちに綴じ具の可動基板１、２は厚紙等の厚い表紙に固定されたさや５に対し次第にずれて行き、さや５の端部Ａから延びだし、場合により表紙に対して大きくずれてしまう問題がある。本発明はこの問題を解決することを課題とする。
また綴じ具の製造時には金属とプラスチック部品を使用するので両者を容易に組み立てなければならない。一方、綴じ具は金属およびプラスチックよりなるので、使い古して廃棄する場合にも貴重な再生資源となるので、容易にこれらを回収できる必要がある。
本発明の目的は少なくとも前者又は好ましくは両者の課題を解決できるルーズリーフ綴じ具を提供することを目的とする。
【課題を解決するための手段】
【０００５】
本発明は、相互に衝合できる一対の半環状の綴じ環を複数対起立した一対の可動基板をそれらの内縁に沿って衝接させ、かつこれらの可動基板の外縁に沿って設けた溝に弾性金属さやの両縁部を挿入して拘束し、前記両可動基板の長手方向一端部又は両端部に他側の可動基板側に向けて交差する一対の操作つまみを設け、該操作つまみを互いに方向に押すことにより前記基板を前記綴じ環が閉鎖した状態から上動させることにより前記両半環状の綴じ環の先端を開放させるようにしたルーズリーフ綴具を改良するものある。
（ａ）すなわち、本発明の課題は、一端側の前記操作つまみの一部を下方に延長させて基板に対する邪魔板として構成し、他方、前記さやの同じ側の一端部を上方に曲げて前記邪魔板に衝接可能な突起部を形成し、前記突起部の高さを綴じ環の開放状態では前記突起部が前記邪魔板に干渉できないが、閉鎖状態では干渉できるように定めた、ルーズリーフ綴具により、解決することができる。
この構造によると、綴じ環の閉鎖状態（ルーズリーフの差し替え時を除いては通常この状態）では、可動基板と一体の前記邪魔板がさやに形成された前記突起部により長手方向の相対移動を邪魔するので可動基板は弾性金属さやに対して常に一定位置に保持できる。  
一方、綴じ環の開放状態では、邪魔板が干渉しないので、例えば古くなった綴具を分別廃棄する際に、可動基板を弾性金属さやから容易に引き抜くことができる。
（ｂ）好ましい実施形態では、さや側の前記突起部に傾斜がつけてある。このため、綴じ具の組み立てに際しては、半環状の綴じ環を開放した状態でも閉鎖した状態でも、さやの前記突起部とは反対側のさや端から両基板を挿入することで組み込みが可能である。なぜなら、突起部に傾斜がつけてあることと、さやに弾性があることで、邪魔板はほとんど抵抗なしに突起部を乗り越えることができるからである。
（ｃ）好ましい他の実施の形態では、上記（ａ）または（ｂ）において、前記可動基板の他端では前記溝の端部を閉鎖して、前記さやに対するストッパとした上記のルーズリーフ綴具を提供する。この形態では、邪魔板と突起部の作用と相俟って、可動基板を弾性金属さやに対して常に一定の関係に保持できる。
（ｄ）なお、上記（ｃ）の実施形態の代わりに、綴具の両端の構造を上記（ａ）又は（ｂ）に従って構成することが可能である。なお、この場合には綴具の組立て及び分解において、綴じ環を開放状態にしておく必要がある。
【図面の簡単な説明】
【０００６】
【図１】従来のルーズリーフ綴具の斜視図である。
【図２】従来のルーズリーフのさや部の斜視図である。
【図３】本発明のルーズリーフ綴具の断面図である。
【図４】本発明のさや部の斜視図である。
【図５】本発明のルーズリーフ綴具の綴じ環開放状態の要部斜視図である。
【図６】本発明のルーズリーフ綴具の綴じ環閉鎖状態の要部斜視図である。
【図７】本発明のルーズリーフ綴具の綴じ環閉鎖状態の正面図である。
【実施例】
【０００７】
以下図３〜７を参照して本発明の好ましい実施例を詳しく説明する。
本発明のルーズリーフ綴具は、ＡＢＳ、ＰＰ等のプラスチックの射出成形により製造され、図３と図７に示したように、相互に衝合できる半環状の綴じ環３、４を複数対起立した一対の可動基板１、２をそれらの内縁に沿って衝接させ、それらの内縁には上動の範囲を制限する爪１’、２’をそれぞれ設け、これらの可動基板１、２の外縁に沿って設けた溝１４、１６に弾性金属さや５の両縁部６、７を挿入して拘束し、前記両可動基板１、２の長手方向両端部にそれぞれ他側の可動基板側に向けて交差する一対の操作つまみ９、１０を設け、該操作つまみを互いに方向に押すことにより前記基板１、２を前記綴じ環３、４が閉鎖した状態から上動させることにより前記両半環状の綴じ環３、４の先端を開放させるようする。以上は以下の実施例に共通の公知構造である。なお１１、１２はリベットを挿入するための取り付け穴である。
【０００８】
実施例１
本発明の好ましい実施例に従い、図４〜７に示したように、一端側の前記操作つまみの一部（この例では左端側の操作摘み９）を下方に延長させて邪魔板１５として構成し、他方、前記さや５の同じ側の一端部を上方に曲げて前記邪魔板１５の内面に衝接可能な突起部８を形成し、前記突起部８の高さを綴じ環の解放状態では前記突起部８が前記邪魔板１５に干渉できないが、閉鎖状態では干渉できるように定める。
この構造によると、綴じ環３、４の閉鎖状態では、突起部８が両可動基板１、２の移動を制限するので可動基板５は弾性金属さやに対して常に一定位置に保持できる。
一方、綴じ環３、４の開放状態では、邪魔板１５が干渉しないので、例えば古くなった綴具を分別廃棄する際に、可動基板１、２を弾性金属さや５から容易に引き抜くことができ、資源として回収することができる。
【０００９】
実施例２
好ましい実施形態では、実施例１において、プレス加工により突起部８に傾斜部８’がつけてある。このため、綴じ具の組み立てに際しては、半環状の綴じ環３、４を開放した状態でも閉鎖した状態でも、内縁部で衝合させた可動基板１、２を、前記突起部８とは反対側のさや端（図７で右端）から挿入することで組み込みが可能である。なぜなら、突起部８に傾斜８’がつけてあることと、さや５に弾性があることで、邪魔板１５は無理なく突起部８を乗り越えることができるからである。
そして、通常綴じ環３、４が綴じている状態では、外力が加わっても、図５〜７に示したように、邪魔板１５がさや５の突起部８により右方向への移動を阻止されるので可動基板１、２とさや５が一定の関係に保持される。
【００１０】
実施例３
他の好ましい実施形態では、実施例１又は実施例２において、さらに、図７に示したように、可動基板１、２の他端において、基板１、２の外縁に形成された溝１４、１６の端部を閉鎖して、前記さや５に対するストッパ１７とすることができる。
この実施形態では、突起部８と邪魔板１５の作用と相俟って、可動基板（１、２）と弾性金属さや（５）は常に一定の関係を保持できる。
【００１１】
実施例４
別の好ましい実施形態では、上記実施例１又は２において、更に可動基板の両端にも同一の構造に構成して第２の突起部８と第２の邪魔板１５を設けることができる（図示せず）。可動基板１、２をさや５に組込むには両綴じ環３、４を開放状態にした状態で可動基板１、２をさや５に差し込む。
【００１２】
以上のように構成したので、本発明の綴じ具は容易に組み立てることができ、綴具に繰り返し衝撃が加っても、可動基板１、２がさや５に対してずれることはなく、また、使い古して廃棄する場合には容易に可動基板１、２とさや５を分解して資源として別々に回収できる追加の効果も得られる。
【符号の説明】
【００１３】
１、２：可動基板
１’、２’：爪
３、４：半環状の綴じ環
５：弾性金属さや
６、７：さやの両縁部
８：突起部
８’：傾斜部
９、１０：開閉操作つまみ
１１、１２：取付け鋲穴
１４、１６：可動基板の外縁部の溝
１５：邪魔板
１７：ストッパ
【図１】
2015016560.tif 000003
【図２】
2015016560.tif 000004
【図３】
2015016560.tif 000005
【図４】
2015016560.tif 000006
【図５】
2015016560.tif 000007
【図６】
2015016560.tif 000008
【図７】
2015016560.tif 000009